(57)【特許請求の範囲】
【請求項１】
ＩＣカードを収容可能のトレイと，前記ＩＣカードを収容したトレイがスライド可能に挿入される本体部を有して構成されるカードコネクタであって，
前記トレイは，平面部と，前記平面部に前記平面部の両側部に沿って形成された，断面が略Ｌ字型で該略Ｌ字型の一端が外側に向けられた縁部を有し，
前記本体部は，該本体部の両側部に沿って形成された，前記トレイの縁部の略Ｌ字型の一端がスライド挿入可能のガイドと，前記ＩＣカードの電極と電気的接続が行われるバネ性の接点素子が形成されたベース部を有し，
更に前記ベース部の前記ガイドと対向する両側面の少なくとも一部に，前記トレイが，前記本体部にスライド挿入されたとき，前記トレイに形成された縁部を内側から前記ガイド方向に押し圧を与える突部が形成されている
ことを特徴とするカードコネクタ。
【請求項２】
ＩＣカードを収容可能のトレイと，前記ＩＣカードを収容したトレイがスライド可能に挿入される本体部を有して構成されるカードコネクタであって，
前記トレイは，平面部と，前記平面部に前記平面部の両側部に沿って形成された，断面が略Ｌ字型で該略Ｌ字型の一端が外側に向けられた縁部を有し，
前記本体部は，該本体部の両側部に沿って形成された，前記トレイの縁部の略Ｌ字型の一端がスライド挿入可能のガイドと，前記ＩＣカードの電極と電気的接続が行われるバネ性の接点素子が形成されたベース部を有し，
更に前記ベース部の両側部間の幅が，前記平面部の両側部に沿って形成された縁部の間隔よりも大きく形成され，これにより前記トレイが，前記本体部にスライド挿入されたとき，前記ベース部の両側部により前記トレイに形成された縁部を内側から前記ガイド方向に押し圧を与える
ことを特徴とするカードコネクタ。
【請求項３】
請求項１または２において，
前記トレイの平面部は，前記トレイが前記ＩＣカードを収容し前記縁部の略Ｌ字型の一端が，前記本体部のガイドにスライド挿入されたとき，前記トレイに形成された縁部の内側に与えられる押し圧により，前記ＩＣカードを前記バネ性の接点素子が形成されたベース部に形成されたバネ性の接点素子方向に押し圧を与えるように変形可能の厚みで形成されていることを特徴とするカードコネクタ。
【請求項４】
請求項１または２において，
前記ベース部の両側部の，前記トレイが挿入される端部に，前記トレイの挿入を案内する傾斜部が形成されていることを特徴とするカードコネクタ。
【発明の詳細な説明】
【技術分野】
【０００１】
本発明は, カードコネクタに関する。特に加入者認証モジュール（ＳＩＭ：Subscriber Identity module）カードの接続用に適したコネクタに関する。
【背景技術】
【０００２】
携帯電話端末の製造販売者と通信事業者が異なる場合，通信事業者の加入者であることを認証するために，加入者認証モジュール（以下ＳＩＭと表記する）と呼ばれるＩＣカードが用いられる。
【０００３】
たとえば，特許文献１において，携帯電話端末本体裏面に設けられるコネクタの構造が示されている（特許文献１，図１参照）。
【０００４】
かかるコネクタの構造は，ＳＩＭカードあるいはＩＣカードの電極と接触するバネ性を有する接点素子と，相対するガイドを有するコンタクトベースと，コンタクトベースに形成されたガイドに挿入される両側面に突き出されたガイドピンを両側に備えたトレイを有して構成されている。
【０００５】
ここで，上記特許文献１に記載された構造において，トレイにＳＩＭカード（ＩＣ  カード）を収容し，ガイドピンをガイドに沿って挿入した状態を考えると，コンタクトベースに組み込まれた接触端子がＩＣカードを介して内側からトレイ平面を押し上げる力を与える。
【特許文献１】特開平８−８７５８２号公報
【発明の開示】
【発明が解決しようとする課題】
【０００６】
この力が小さい場合は，収容されているＩＣカードの「がたつき」が大きくなり，ＩＣカードの端子と接触端子との接触が不安定になる恐れがある。反対に，接触端子がＩＣカードを介して内側からトレイ平面を押し上げる力が大きい場合は，トレイ平面が外方向に湾曲する形態変化を生じる。
【０００７】
また，上記トレイ平面を押し上げる力が大きい場合，トレイの両側面に突き出されたガイドピンに掛かる力も大きくなる。このためガイドピンの破損を回避するためには，ガイドピンの径を太くすることが必要であり，かかる場合トレイ平面の厚みを大きくすることが必要になる。
【０００８】
上記いずれの場合も，ＩＣカードを収容した状態において，カードコネクタの厚みを大きくすることになる。これに反して，携帯電話端末は，携帯し易くするためにより薄くすることが需要者に好まれる。
【０００９】
したがって，上記特許文献１に記載の発明にあっては，かかる需要者の要求に応えることが困難である。
【００１０】
よって，本発明の目的は，カードコネクタの低背化と，ＩＣカードの端子と接触端子との接触を確実にできるようにした，より簡易な構成を提供することにある。
【課題を解決するための手段】
【００１１】
上記本発明の目的を達成する第１の側面は，ＩＣカードを収容可能のトレイと，前記ＩＣカードを収容したトレイがスライド可能に挿入される本体部を有して構成されるカードコネクタであって，
前記トレイは，平面部と，前記平面部に前記平面部の両側部に沿って形成された，断面が略Ｌ字型で該略Ｌ字型の一端が外側に向けられた縁部を有し，
前記本体部は，その両側部に沿って形成された，前記トレイの縁部の略Ｌ字型の一端がスライド挿入可能のガイドと，前記ＩＣカードの電極と電気的接続が行われるバネ性の接点素子が形成されたベース部を有し，
更に前記ベース部の前記ガイドと対向する両側面の少なくとも一部に，前記トレイが，前記本体部にスライド挿入されたとき，前記トレイに形成された縁部を内側から前記ガイド方向に押し圧を与える突部が形成されていることを特徴とする。
【００１２】
また，上記本発明の目的を達成する第２の側面は，ＩＣカードを収容可能のトレイと，前記ＩＣカードを収容したトレイがスライド可能に挿入される本体部を有して構成されるカードコネクタであって，前記トレイは，平面部と，前記平面部に前記平面部の両側部に沿って形成された，断面が略Ｌ字型で該略Ｌ字型の一端が外側に向けられた縁部を有し，
前記本体部は，該本体部の両側部に沿って形成された，前記トレイの縁部の略Ｌ字型の一端がスライド挿入可能のガイドと，前記ＩＣカードの電極と電気的接続が行われるバネ性の接点素子が形成されたベース部を有し，
更に前記ベース部の両側部間の幅が，前記平面部の両側部に沿って形成された縁部の間隔よりも大きく形成され，これにより前記トレイが，前記本体部にスライド挿入されたとき，前記ベース部の両側部により前記トレイに形成された縁部を内側から前記ガイド方向に押し圧を与えることを特徴とする。
【００１３】
さらに，上記において，前記トレイの平面部は，前記トレイが前記ＩＣカードを収容し前記縁部の略Ｌ字型の一端が，前記本体部のガイドにスライド挿入されたとき，前記トレイに形成された縁部の内側に与えられる押し圧により，前記ＩＣカードを前記バネ性の接点素子が形成されたベース部に形成されたバネ性の接点素子方向に押し圧を与えるように変形可能の厚みで形成されるようにすることが好ましい。
【００１４】
また，上記において，前記ベース部の両側部の，前記トレイが挿入される端部に，前記トレイの挿入を案内する傾斜部が形成されるようにしても良い。
【発明の効果】
【００１５】
上記本発明の解決手段により，カードコネクタの低背化と，ＩＣカードの端子と接触端子との接触を確実とすることを可能にする。
【発明を実施するための最良の形態】
【００１６】
以下に図面に従い，本発明の実施の形態例を説明する。なお，実施の形態例は本発明の説明のためのものであり，本発明の技術的範囲はこれに限定されるものではない。
【００１７】
図１は，本発明に従うカードコネクタの一実施の形態例の斜視図である。
【００１８】
本発明に従うカードコネクタは，ＩＣカードを収容可能のトレイ１と，前記ＩＣカードを収容したトレイ１がスライド可能に挿入される本体部２を有して構成される。
【００１９】
図１において，本体部２にトレイ１の先端が図中矢印方向に挿入されつつある状態が示されている。
【００２０】
トレイ１は，平面部１０と，スライド挿入方向（図中矢印）に前記平面部１０の両側部に沿って形成された縁部１１-1，１１-2を有している。縁部１１-1，１１-2は，後に説明するように断面が略Ｌ字型の形状を成している。
【００２１】
図１中，トレイ１の内側に収容されたＩＣカード１２の一部が見えている。トレイ１の平面部１０に形成された窓部１３は，トレイ１にＩＣカード１２が収容されているか否かを確認するために設けられている。
【００２２】
一方，本体部２は，その両側部２０-1，２０-2に沿って形成された，前記トレイ１の縁部１１-1，１１-2の断面が略Ｌ字型の一端がスライド可能に挿入されるガイド部２１-1〜２１-6と，前記ＩＣカード１２の電極と電気的接続が行われるバネ性の接点素子２２が形成されたベース部２３を有している。
【００２３】
図２は，図１に示す状態から，トレイ１の全体が本体部２にスライド挿入された状態を示している。
【００２４】
図３は，トレイ１と本体部２のそれぞれの断面形状を示している。図３中，トレイ１の断面形状（１）において，薄板平面１０とその両側部に形成された縁部１１-1，１１-2の断面形状が示されている。縁部１１-1，１１-2の断面形状は，平面１０の側部から伸び，略Ｌ字型を成している。
【００２５】
図３（２）に本体部２の断面形状が示されている。本体部２の両側部２０-1，２０-2に沿って形成された複数のガイド部２１-1（２１-2，２１-3），２１-4（２１-5，２１-6）により，トレイ１の縁部１１-1，１１-2の略Ｌ字型の一端がスライド挿入可能のガイド２４が形成されている。
【００２６】
図４は，本体部２の詳細を示す図である。実施例として，本体部２の両側部にそれぞれ３個のガイド部２１-1（２１-2，２１-3），２１-4（２１-5，２１-6）が形成されている。
【００２７】
ベース部２３の両側部に前記ガイド部２１-1（２１-2，２１-3），２１-4（２１-5，２１-6）により形成されるガイド２４にスライド挿入されるトレイ１の縁部１１−１，１１−２に押し圧を付与する突部２５が形成されている。
【００２８】
図５は，図４の丸で囲った部分の拡大図である。図５において，ベース部２３の両側部の少なくとも一部に形成された突部２５が示されている。また，図中，２６は，前記ベース部２３の両側部に形成されている，前記トレイ１が挿入される端部を前記トレイの挿入容易とするための案内傾斜部である。
【００２９】
図６は，トレイ１の外側を示す図である。平面部１０の両側部１１-1,１１-2に縁部が形成され，図３（１）に示したように断面が略Ｌ字型をなしている。図７は，トレイ１の平面部１０の内側を示す図である。この内側に図示しないＩＣカードを収容して本体部２にスライド挿入される。なお，図８は，トレイ１がＩＣカードを収容した状態を示す図である。
【００３０】
図８により，トレイ１がＩＣカードを収容し，本体部２にスライド挿入される状態が説明される。図８（１）は，トレイ１が本体部２に挿入されていない状態の平面図が示している。
【００３１】
図８（２），（３）は，トレイ１の平面図の一点鎖線で示された位置での，トレイ１と本体部２の断面を示している。
【００３２】
図８（２）において，比較のためにトレイ１と，本体部２を分離して示している。トレイ１には，その内側にＩＣカード１２が収容されている。
【００３３】
図８（３）は，ＩＣカード１２を収容したトレイ１を本体部２にスライド挿入した状態における上記図８（１）の一点鎖線での切断面である。本発明の特徴として，本体部２のベース部２３の両側部の少なくとも一部に形成された突部２５により，トレイ１が，案内傾斜部２６により案内され前記本体部２にスライド挿入されたとき，前記トレイ１に形成された縁部１１-1，１１-2を内側からガイド２４の方向に押し圧を与える。
【００３４】
したがって，図８（３）に見られるようにトレイ１の平面部１０は下方に応力を受けて湾曲変形する。これにより，トレイ１の平面部１０は，収容したＩＣカード１２を接続素子２２のバネ性に抗して挟むように保持する状態となる。これにより，本発明により，低背化で且つ，ＩＣカード１２の接続素子２２との接触を確実にすることができ，信頼性を高めることが可能である。
【００３５】
ここで，上記のように，上記本体部２のベース部２３の両側部の一部に形成された突部２５は，トレイ１が本体部２に挿入された時，トレイ１に形成された縁部１１-1，１１-2を内側からガイド２４の方向に押し圧を与えるためのものである。したがって，別の実施例として，ベース部２３の両側部の辺に沿って全体に突部２５を形成する構成とすることも可能である。
【００３６】
かかる構成は，結局，図３（１），（２）において，トレイ１に形成された縁部１１-1，１１-2の間の寸法Ｌ１より，ベース部２３の両側の辺間の寸法Ｌ２を大きくすることに対応する。
【産業上の利用可能性】
【００３７】
上記したように，本発明は，トレイを厚くすることなく，トレイの変形を利用してＩＣカードの保持を確実にできる。したがって，より薄型のカードコネクタを提供することができ，携帯電話等の携帯機器のより小型化に貢献できる。
【００３８】
なお，上記説明で，トレイ１に収容されるカードとして，ＩＣカードあるいはＳＩＭカードを例にしたが，本発明の構成の適用範囲は，かかるＳＩＭカードに限定されるものではない。目的に対応したＲＡＭメモリカード，ＣＰＵの搭載された機能カード等にも適用が可能である。
【図面の簡単な説明】
【００３９】
【図１】本発明に従うカードコネクタの一実施の形態例の斜視図である。
【図２】図１に示す状態から，トレイ１の全体が本体部２にスライド挿入された状態を示している。
【図３】トレイ１と本体部２のそれぞれの断面形状を示している。
【図４】本体部２の詳細を示す図である。
【図５】図４の丸で囲った部分の拡大図である。
【図６】トレイ１の外側を示す図である。
【図７】トレイ１の内側を示す図である。
【図８】トレイ１がＩＣカードを収容した状態を説明する図である。
【符号の説明】
【００４０】
１  トレイ
２  本体部
２６  ＩＣカード
１０  トレイ平面部
１１-1，１１-2  縁部
２０-1，２０-2  本体部２の両側部
２４  ガイド
【図１】
0004571028.tif 000002
【図２】
0004571028.tif 000003
【図３】
0004571028.tif 000004
【図４】
0004571028.tif 000005
【図５】
0004571028.tif 000006
【図６】
0004571028.tif 000007
【図７】
0004571028.tif 000008
【図８】
0004571028.tif 000009